(57)【要約】【課題】緊急呼通信用の無線通信回線が不正利用されることを防止すること。【解決手段】ＭＳ１００は、ＴＡＦ１１０又は受付部１２１が通信要求を受け付けると、判断部１２２が緊急呼通信用のＲＲＣコネクションの解放シーケンスが実行中か否か判断するので、緊急呼通信が終了した後に実行される無線通信回線の解放シーケンスを実行中かどうか把握することができる。すなわち、緊急呼通信は終了して無線通信回線が確立されている状態かどうか把握することができる。そして、緊急呼通信用のＲＲＣコネクションの解放シーケンスが実行中であると判断された場合に拒否部１２３が通信要求を拒否するので、ユーザ又は通信網ＮＷから受け付けた通信要求を拒否して、緊急通信用に確立したＲＲＣコネクションを他の通信の為に不正利用されることを防止できる。【選択図】図１
2007189531.tif 000002
【特許請求の範囲】
【請求項１】
通信中に他の通信接続が可能な通信端末であって、
通信要求を受け付ける受付手段と、
前記受付手段が前記通信要求を受け付けると、自端末と通信網との間で割当てられた緊急呼通信用の無線通信回線の解放シーケンスが実行中か否か判断する判断手段と、
前記判断手段によって前記緊急呼通信用の無線通信回線の解放シーケンスが実行中であると判断された場合に、前記受付手段が受け付けた前記通信要求を拒否する拒否手段と、
を備えることを特徴とする通信端末。
【請求項２】
前記判断手段は、前記受付手段が前記通信要求を受け付けると、自端末が緊急呼通信中か否か判断し、
前記拒否手段は、前記判断手段によって自端末が前記緊急呼通信中であると判断された場合に、前記受付手段が受け付けた前記通信要求を拒否する、
ことを特徴とする請求項１に記載の通信端末。
【請求項３】
通信中に他の通信接続が可能な通信端末の通信方法において、
通信要求を受け付ける受付ステップと、
前記受付ステップにおいて前記通信要求を受け付けると、自端末と通信網との間で割当てられた緊急呼通信用の無線通信回線に対する解放シーケンスが実行中か否か判断する判断ステップと、
前記判断ステップにおいて前記緊急呼通信用の無線通信回線の解放シーケンスが実行中であると判断された場合に、前記受付ステップにおいて受け付けた前記通信要求を拒否する拒否ステップと、
を備えることを特徴とする通信方法。
【発明の詳細な説明】
【技術分野】
【０００１】
本発明は、通信端末及び通信方法に関する。
【背景技術】
【０００２】
従来から、災害時又は年末年始等において通常の通話が輻輳規制されている場合であっても、１１０番など特定の発信先との通話が可能な緊急呼通信を行うことができる通信装置が知られている。例えば、特許文献１には、この緊急呼通信を他の通話よりも確実に優先させるために、緊急呼通信の通話中の通信端末へ他の通信端末から発呼要求があると、中継装置においてその発呼要求を拒否する技術が記載されている。
【０００３】
一方、近年の携帯電話などの通信端末は、複数の通信処理を平行して行うことができるので、緊急呼通信中において他の通信処理を行うことができる。
【特許文献１】特開２００５−２６０７６号公報
【発明の開示】
【発明が解決しようとする課題】
【０００４】
このように、複数の通信処理を平行して行うことができる通信端末には、上記特許文献１に記載の技術では解決できない他の問題がある。
【０００５】
すなわち、緊急呼通信用に確立した無線通信回線の解放シーケンスを実行中に、新たな通信を開始すると、緊急呼通信用の無線通信回線を使用して新たな通信が実行される。この場合、他の通信よりも優先的に扱われる緊急呼通信用の無線通信回線を使用して緊急呼通信以外の通信を行うこととなる。このような不正利用によって無線通信回線が使用されれば、優先すべき緊急呼通信を行えない状況に陥る恐れがある。また、不正利用が増えることにより、緊急呼通信を行うことができなくなる場合がある。
【０００６】
本発明は、上記問題点を解消する為になされたものであり、緊急呼通信用の無線通信回線の不正利用を防止することが可能な通信端末及び通信方法を提供することを目的とする。
【課題を解決するための手段】
【０００７】
本発明の通信端末は、通信中に他の通信接続が可能な通信端末であって、通信要求を受け付ける受付手段と、受付手段が通信要求を受け付けると、自端末と通信網との間で割当てられた緊急呼通信用の無線通信回線の解放シーケンスが実行中か否か判断する判断手段と、判断手段によって緊急呼通信用の無線通信回線の解放シーケンスが実行中であると判断された場合に、受付手段が受け付けた通信要求を拒否する拒否手段と、を備える。
【０００８】
本発明の通信方法は、通信中に他の通信接続が可能な通信端末の通信方法において、通信要求を受け付ける受付ステップと、受付ステップにおいて通信要求を受け付けると、自端末と通信網との間で割当てられた緊急呼通信用の無線通信回線に対する解放シーケンスが実行中か否か判断する判断ステップと、判断ステップにおいて緊急呼通信用の無線通信回線の解放シーケンスが実行中であると判断された場合に、受付ステップにおいて受け付けた通信要求を拒否する拒否ステップと、を備える。
【０００９】
本発明によれば、通信要求を受け付けると、緊急呼通信用の無線通信回線の解放シーケンスが実行中か否か判断するので、緊急呼通信が終了した後に実行される無線通信回線の解放シーケンスを実行中かどうか把握することができる。すなわち、緊急呼通信が終了しているにもかかわらず、緊急呼通信用の無線通信回線が確立されている状態かどうか把握することができる。そして、緊急呼通信用の無線通信回線の解放シーケンスが実行中であると判断された場合に通信要求を拒否するので、緊急呼通信用に確立した無線通信回線を他の通信の為に不正利用されることを防止できる。
【００１０】
また、本発明の判断手段は、受付手段が通信要求を受け付けると、自端末が緊急呼通信中か否か判断し、拒否手段は、判断手段によって自端末が緊急呼通信中であると判断された場合に、受付手段が受け付けた通信要求を拒否する、ことも好ましい。
【００１１】
本発明の通信端末によれば、拒否手段が、自端末の緊急呼通信中においては発信要求を拒否するので、緊急呼通信中に自端末から発信を行うことにより緊急呼通信の通話が中断されることを防止できる。よって、緊急呼通信用に確立した無線通信回線を適正に緊急呼通信に利用することができ、緊急呼通信をより確実に優先させることができる。
【発明の効果】
【００１２】
本発明によれば、緊急呼通信用の無線通信回線が不正利用されることを防止することができる。
【発明を実施するための最良の形態】
【００１３】
以下、添付図面を参照して、本発明を実施するための最良の形態を詳細に説明する。なお、図面の説明において同一の要素に同一の符号を付し、重複する説明を省略する。
【００１４】
図１は、本実施形態に係る通信端末であるＭＳ(Mobile Station)１００の機能ブロック図である。ＭＳ１００は、通信網ＮＷを介して他の通信端末と通信可能に構成されている。ＭＳ１００は、通信中に他の通信接続が可能である。すなわち、ＭＳ１００は、他の通信端末との通話中において、Eメールの送受信、ウェブページの閲覧、付加サービスの制御、又はショートメッセージの送受信等の通信を行うことが可能であり、他の通信端末と通信回線が接続された状態でその通信回線を保留にして、また別の通信端末と通話を行うことも可能である。
【００１５】
緊急端末Ｅは、１１０番、１１９番等の緊急連絡先の通信端末である。緊急端末Ｅは、ＭＳ１００を含む複数の通信端末と共に通信網ＮＷに接続され、ＭＳ１００と緊急端末Ｅとの間の緊急呼通信が可能に設定されている。緊急呼通信は、緊急呼以外の通常の通信が輻輳規制されている場合であっても可能である。
【００１６】
ＭＳ１００と緊急端末Ｅとの間の緊急呼通信の通話を行う場合、ＭＳ１００が緊急端末Ｅへの緊急呼発信を行い、ＭＳ１００と通信網ＮＷとの間に緊急呼通信用の無線通信回線であるＲＲＣコネクションが確立される。確立されたＲＲＣコネクションを利用して接続された緊急回線を介して、ＭＳ１００と緊急端末Ｅとの間で緊急呼通信の通話が行われる。
【００１７】
引き続いて、ＭＳ１００の構成について説明する。ＭＳ１００は、ＴＡＦ(Terminal Adaptation Function)（受付手段）１１０と、入力ボタン１１１と、ＭＴＦ(Mobile Termination Function)１２０とを備える。
【００１８】
ＴＡＦ１１０は、ユーザからの通信要求を受け付ける部分である。ユーザからの通信要求とは、緊急呼発信を含む通話の発信要求、付加サービスの制御要求、ウェブページの表示を要求する情報の発信要求、Eメールの送信要求、及びショートメッセージの送信要求等の発信要求である。ＴＡＦ１１０は、受け付けた通信要求をＭＴＦ１２０へ出力する。
【００１９】
ＴＡＦ１１０は、入力ボタン１１１を介してユーザにより入力された各種の通信要求を受け付ける。また、例えば、ウェブページの表示を要求する情報の発信要求は、ディスプレイ（図示せず）に表示されたメニュー画面に応じたユーザのボタン操作により入力される。また、ＴＡＦ１１０は、ＭＴＦ１２０から受け付けた各種情報をディスプレイ（図示せず）に表示する。
【００２０】
ＭＴＦ１２０は、受付部１２１（受付手段）と、判断部（判断手段）１２２と、拒否部（拒否手段）１２３と、通信制御部１２４とを含む。
【００２１】
受付部１２１は、通信網ＮＷからの通信要求を受け付ける。通信網ＮＷからの通信要求とは、通話の着信要求、通信網ＮＷから送信される文字情報の着信要求、Eメールの着信要求、ショートメッセージの着信要求等の着信要求である。受付部１２１は、受け付けた通信要求を判断部１２２へ出力する。
【００２２】
判断部１２２は、通信制御部１２４の状態を参照して判断を行う。すなわち、判断部１２２は、ＴＡＦ１１０又は受付部１２１が通信要求を受け付けると、ＭＳ１００と通信網ＮＷとの間で割当てられた緊急呼通信用のＲＲＣコネクションの解放シーケンスが実行中か否か判断する。判断部１２２は、緊急呼通信用のＲＲＣコネクションの解放シーケンスが実行中であると判断すると、ＴＡＦ１１０又は受付部１２１が受け付けた通信要求を拒否部１２３へ出力する。判断部１２２は、緊急呼通信用のＲＲＣコネクションの解放シーケンスが実行中でないと判断すると、ＴＡＦ１１０又は受付部１２１が受け付けた通信要求を通信制御部１２４へ出力する。
【００２３】
また、判断部１２２は、ＴＡＦ１１０又は受付部１２１が通信要求を受け付けると、ＭＳ１００が緊急呼通信中か否か判断する。緊急呼通信中とは、ＭＴＦ１２０がＴＡＦ１１０から緊急呼の発信要求を受け付けてからＲＲＣコネクションの解放処理を開始するまでの状態である。
【００２４】
判断部１２２は、ＭＳ１００が緊急呼通信中であると判断すると、ＴＡＦ１１０又は受付部１２１が受け付けた通信要求を拒否部１２３へ出力する。判断部１２２は、ＭＳ１００が緊急呼通信中でないと判断すると、ＴＡＦ１１０又は受付部１２１が受け付けた通信要求を通信制御部１２４へ出力する。
【００２５】
拒否部１２３は、判断部１２２によって緊急呼通信用のＲＲＣコネクションの解放シーケンスが実行中であると判断された場合に、ＴＡＦ１１０が受け付けた通信要求を拒否する。すなわち、拒否部１２３は、判断部１２２から出力された通信要求に対して拒否する旨のコマンドを生成する。
【００２６】
また、拒否部１２３は、判断部１２２が緊急呼通信中であると判断した場合に、通信要求を拒否する。すなわち、拒否部１２３は、判断部１２２から出力された通信要求に対して拒否する旨のコマンドを生成する。
【００２７】
拒否部１２３は、ＴＡＦ１１０が受け付けた通信要求に対して拒否する旨のコマンドを生成した場合は、そのコマンドをＴＡＦ１１０へ出力する。また、拒否部１２３は、受付部１２１が通信網ＮＷから受け付けた通信要求に対して拒否する旨のコマンドを生成した場合は、そのコマンドを通信網ＮＷへ出力する。
【００２８】
通信制御部１２４は、判断部１２２から出力された通信要求に応じて、ＭＳ１００と通信網ＮＷとの間の通信を制御する。具体的には、通話の発信、付加サービスの制御を要求する発信、Eメールの送信、ウェブページの閲覧要求、及びショートメッセージの発信等の制御を行う。また、通信制御部１２４は、通話の着信、通信網ＮＷから送信される文字情報の着信、Eメールの着信、ショートメッセージの着信等の制御を行う。通信網ＮＷから送信される文字情報とは、例えば、発信先の通信端末によって呼が転送された場合にそれを通知するための文字情報である。
【００２９】
また、通信制御部１２４は、緊急呼発信の制御を行う。緊急呼を行う場合、ＭＴＦ１２０は、ＭＳ１００と通信網ＮＷとの間に緊急呼通信用のＲＲＣコネクションを確立する。ＲＲＣコネクションを介した緊急呼通信が終了した後、通信制御部１２４は、ＲＲＣコネクションの解放シーケンスを実行してＲＲＣコネクションを解放する。
【００３０】
引き続いて、図２〜図１０を参照してＭＳ１００の動作を説明する。
【００３１】
まず、図２を参照して、緊急呼通信の開始から終了までの動作を説明すると共に、ＲＲＣコネクションの解放シーケンスの実行中に通信要求を拒否する際のＭＳ１００の動作について説明する。図２は、本実施形態に係るＭＳ１００のシーケンス図である。
【００３２】
ＭＳ１００が待受状態のとき（Ｓ１０１）に、緊急呼の発信要求がＴＡＦ１１０によって受け付けられると、緊急呼の発信要求を示すsetup - reqがＴＡＦ１１０によってＭＴＦ１２０へ出力される（Ｓ１０２）。setup - reqがＴＡＦ１１０によってＭＴＦ１２０へ出力されて、緊急呼通信が開始される。ＴＡＦ１１０からsetup - reqが出力されると、緊急呼発信がＭＴＦ１２０によって実行される（Ｓ１０３）。
【００３３】
緊急呼発信後、緊急呼通信の通話が開始される（Ｓ１０４）。通話中において、通話の切断を要求するdisconnect - reqがＴＡＦ１１０によって受け付けられると、disconnect - reqがＴＡＦ１１０によってＭＴＦ１２０へ出力される（Ｓ１０５）。disconnect - reqが出力されると、通話の切断を指示するDISCONNECTがＭＴＦ１２０によって通信網ＮＷへ出力される（Ｓ１０６）。出力されたDISCONNECTに応じて、通話の切断を受諾した旨のRELEASEが通信網ＮＷからＭＴＦ１２０へ送信される（Ｓ１０７）。
【００３４】
RELEASEが送信されると、通話の切断が実行される旨のrelease- indがＭＴＦ１２０によってＴＡＦ１１０へ出力される（Ｓ１０８）。release - indが出力されると、通話の切断を受諾した旨のrelease - resがＴＡＦ１１０によってＭＴＦ１２０へ出力される（Ｓ１０９）。
【００３５】
release- rspが出力されると、通話が切断された旨のRELEASE COMPLETEがＴＡＦ５によって通信網ＮＷへ出力されて（Ｓ１１０）、緊急呼通信が終了する。緊急呼通信の終了後、緊急呼通信用のＲＲＣコネクションの解放シーケンスが開始される（Ｓ１１１）。
【００３６】
緊急呼通信用のＲＲＣコネクションの解放シーケンスが実行されている間、Eメールの送信またはウェブページの閲覧要求がＴＡＦ１１０によってユーザから受け付けられると、Eメールの送信またはウェブページの閲覧要求を示すsmreg - PDP - activate - reqがＴＡＦ１１０によってＭＴＦ１２０へ出力される（Ｓ１１２）。smreg - PDP - activate - reqが出力されると、緊急呼通信用のＲＲＣコネクションの解放シーケンスを実行中であることが判断部１２２によって判断され、Eメールの送信またはウェブページの閲覧要求の拒否を示すsmreg - PDP - activate - indがＭＴＦ１２０によってＴＡＦ１１０へ出力される（Ｓ１１３）。
【００３７】
このようにして、緊急呼通信が終了しても、ＲＲＣコネクションの解放シーケンスが終了していない状態では、Eメールの送信またはウェブページの閲覧要求が拒否される。同様な動作によって、ＭＳ１００は、通話の発信要求、付加サービスの制御、及びショートメッセージの送信要求等のＴＡＦ１１０が受け付けた発信要求が拒否される。ＲＲＣコネクションの解放シーケンスが終了して、ＲＲＣコネクションが解放された後は、通信要求に応じた通信を行うこととなる。
【００３８】
次に、図３〜図６を参照して、緊急呼通信中に発信要求を拒否する際のＭＳ１００の動作について説明する。
【００３９】
図３は、本実施形態に係るＭＳ１００において、緊急呼通信中に通話の発信要求がなされた場合の動作を示すシーケンス図である。図３に示すように、緊急呼通信中（Ｓ２０１）において以下の動作が実行される。通話の発信要求（ＣＣＰ（Call Control Protocol）発信の要求）がユーザからＴＡＦ１１０によって受け付けられる（Ｓ２０２）と、通話の発信要求を示すsetup - reqがＴＡＦ１１０によってＭＴＦ１２０へ出力される（Ｓ２０３）。
【００４０】
setup- reqが出力されると、緊急呼通信中であることが判断部１２２によって判断され、通話の発信要求の拒否を示すreject - indがＭＴＦ１２０によってＴＡＦ１１０へ出力される（Ｓ２０４）。このようにして、緊急呼通信中における通話の発信要求が拒否される。
【００４１】
図４は、本実施形態に係るＭＳ１００において、緊急呼通信中にウェブページの表示を要求する情報の発信要求がなされた場合の動作を示すシーケンス図である。図４に示すように、緊急呼通信中（Ｓ２１１）において以下の動作が実行される。付加サービスの制御要求（ＳＳＰ(Supplementary Service Protocol)発信の要求）がＴＡＦ１１０によってユーザから受け付けられる（Ｓ２１２）と、付加サービスの制御を要求する情報の発信要求を示すbegin - reqがＴＡＦ１１０によってＭＴＦ１２０へ出力される（Ｓ２１３）。
【００４２】
begin- reqが出力されると、緊急呼通信中であることが判断部１２２によって判断され、付加サービスの制御を要求する情報の発信要求の拒否を示すreject - indがＭＴＦ１２０によってＴＡＦ１１０へ出力される（Ｓ２１４）。このようにして、緊急呼通信中における付加サービスの制御を要求する情報の発信要求が拒否される。
【００４３】
図５は、本実施形態に係るＭＳ１００において、緊急呼通信中にEメールの送信またはウェブページの閲覧要求がなされた場合の動作を示すシーケンス図である。図５に示すように、緊急呼通信中（Ｓ２２１）において以下の動作が実行される。Eメールの送信またはウェブページの閲覧要求（ＰＣＰ(Packet switched Connection management Protocol)発信の要求）がＴＡＦ１１０によってユーザから受け付けられる（Ｓ２２２）と、Eメールの送信またはウェブページの閲覧要求を示すsmreg - PDP - activate - reqがＴＡＦ１１０によってＭＴＦ１２０へ出力される（Ｓ２２３）。
【００４４】
smreg- PDP - activate - reqが出力されると、緊急呼通信中であることが判断部１２２によって判断され、Eメールの送信またはウェブページの閲覧要求の拒否を示すsmreg - PDP - activate - indがＭＴＦ１２０によってＴＡＦ１１０へ出力される（Ｓ２２４）。このようにして、緊急呼通信中におけるEメールの送信またはウェブページの閲覧要求が拒否される。
【００４５】
図６は、本実施形態に係るＭＳ１００において、緊急呼通信中にショートメッセージの発信要求がなされた場合の動作を示すシーケンス図である。図６に示すように、緊急呼通信中（Ｓ２３１）において以下の動作が実行される。ショートメッセージの発信要求（ＳＭＳＰ(Short Message Service Protocol)発信の要求）がＴＡＦ１１０によってユーザから受け付けられる（Ｓ２３２）と、ショートメッセージの発信要求を示すestablish - reqがＴＡＦ１１０によってＭＴＦ１２０へ出力される（Ｓ２３３）。
【００４６】
establish- reqが出力されると、緊急呼通信中であることが判断部１２２によって判断され、ショートメッセージの発信要求の拒否を示すerror - indがＭＴＦ１２０からＴＡＦ１１０へ出力される（Ｓ２３４）。このようにして、緊急呼通信中におけるショートメッセージの発信要求が拒否される。
【００４７】
次に図７〜図１０を参照して、緊急呼通信中に着信要求を拒否する際のＭＳ１００の動作について説明する。
【００４８】
図７は、本実施形態に係るＭＳ１００において、緊急呼通信中に通話の着信要求がなされた場合の動作を示すシーケンス図である。図７に示すように、緊急呼通信中（Ｓ２４１）において以下の動作が実行される。通話の着信要求（ＣＣ(Call Control)着信の要求）を示すSETUPが、通信網ＮＷから送信される（Ｓ２４２）。送信されたSETUPが、ＭＴＦ１２０によって受け付けられる（Ｓ２４３）。
【００４９】
SETUPが受け付けられると、緊急呼通信中であることが判断部１２２によって判断され、通話の着信要求の拒否を示すRELEASE COMPLETEがＭＴＦ１２０によって通信網ＮＷへ出力される（Ｓ２４４）。このようにして、緊急呼通信中における通話の着信要求が拒否される。
【００５０】
図８は、本実施形態に係るＭＳ１００において、緊急呼通信中に文字情報の着信要求がなされた場合の動作を示すシーケンス図である。図８に示すように、緊急呼通信中（Ｓ２５１）において以下の動作が実行される。文字情報の着信要求（ＳＳ(Supplementary Service)着信の要求）を示すREGISTERが、通信網ＮＷから送信される（Ｓ２５２）。送信されたREGISTERが、ＭＴＦ１２０によって受け付けられる（Ｓ２５３）。
【００５１】
REGISTERが受け付けられると、緊急呼通信中であることが判断部１２２によって判断され、文字情報の着信要求の拒否を示すRELEASE COMPLETEがＭＴＦ１２０によって通信網ＮＷへ出力される（Ｓ２５４）。このようにして、緊急呼通信中において、文字情報の着信要求が拒否される。
【００５２】
図９は、本実施形態に係るＭＳ１００において、緊急呼通信中にEメールの着信要求がなされた場合の動作を示すシーケンス図である。図９に示すように、緊急呼通信中（Ｓ２６１）において以下の動作が実行される。ＰＳドメイン用の通信パス（ＰＳシグナリング）が通信網ＮＷの要求に応じて確立される（Ｓ２６２）と、Eメールの着信要求（ＳＭ(Session Management)着信の要求）を示すRequest PDP context activationが、通信網ＮＷからＭＴＦ１２０へ送信される（Ｓ２６３）。送信されたRequest PDP context activationが、ＭＴＦ１２０によって受け付けられる（Ｓ２６４）。
【００５３】
RequestPDP context activationが受け付けられると、緊急呼通信中であることが判断部１２２によって判断され、Eメールの着信要求の拒否を示すRequest PDP context activation rejectがＭＴＦ１２０によって通信網ＮＷへ出力される（Ｓ２６５）。このようにして、緊急呼通信中におけるEメールの着信要求が拒否される。
【００５４】
図１０は、本実施形態に係るＭＳ１００において、緊急呼通信中にショートメッセージの着信要求がなされた場合の動作を示すシーケンス図である。図１０に示すように、緊急呼通信中（Ｓ２７１）において以下の動作が実行される。ＰＳシグナリングが通信網ＮＷの要求に応じて確立される（Ｓ２７２）と、ショートメッセージの着信の要求（ＳＭＳ(Short Message Service)着信の要求）を示すCP−DATAが、通信網ＮＷからＭＴＦ１２０へ送信される（Ｓ２７３）。送信されたCP-DATAが、ＭＴＦ１２０によって受け付けられる（Ｓ２７４）。
【００５５】
CP−DATAが受け付けられると、緊急呼通信中であることが判断部１２２によって判断され、ショートメッセージの着信要求の拒否を示すCP−ERRORがＭＴＦ１２０によって通信網ＮＷへ出力される（Ｓ２７５）。このようにして、緊急呼通信中におけるショートメッセージの着信要求が拒否される。
【００５６】
引き続いて、本実施形態の作用効果について説明する。
【００５７】
本実施形態に係るＭＳ１００によれば、ＴＡＦ１１０又は受付部１２１が通信要求を受け付けると、判断部１２２が緊急呼通信用のＲＲＣコネクションの解放シーケンスが実行中か否か判断するので、緊急呼通信が終了した後に実行される無線通信回線の解放シーケンスを実行中かどうか把握することができる。すなわち、緊急呼通信は終了して無線通信回線が確立されている状態かどうか把握することができる。そして、緊急呼通信用のＲＲＣコネクションの解放シーケンスが実行中であると判断された場合に拒否部１２３が通信要求を拒否するので、ユーザから受け付けた通信要求又は通信網ＮＷから受け付けた通信要求等を拒否して、緊急通信用に確立したＲＲＣコネクションを他の通信の為に不正利用されることを防止できる。
【００５８】
なお、近年の通信端末は、１つの通話回線が繋がった状態で、ネットワークに接続してインターネットを閲覧すること、Eメールの送受信及びショートメッセージ通信等を行うことができる。また、通信端末は、通話中の相手との回線を保留にして、他の通信端末へ発呼することもできる。このような状況において、緊急呼通信中に上記のような他の通信を行うという不適切な利用により、緊急通信が中断される恐れがある。
【００５９】
本実施形態のＭＳ１００によれば、拒否部１２３が、ＲＲＣコネクションの解放シーケンス実行中だけでなく緊急呼通信中において通信要求を拒否するので、緊急呼通信中に他の通信を行うことを防止して、緊急呼通信の通話が中断されることを防止できる。よって、緊急呼通信用に確立した無線通信回線を適正に緊急呼通信に利用することができ、緊急呼通信をより確実に優先させることができる。
【００６０】
本実施形態のＭＳ１００は、拒否部１２３が、ＲＲＣコネクションの解放シーケンス実行中及び緊急呼通信中において、通信要求を拒否することとしたが、ＲＲＣコネクションの解放シーケンス実行中のみにおいて通信要求を拒否することとしてもよい。また、本実施形態のＭＳ１００は、ＲＲＣコネクションの解放シーケンス実行中のみにおいて発信要求のみを拒否することとしてもよい。
【００６１】
また、本実施形態のＭＳ１００が、緊急呼通信中においてのみ発信要求又は着信要求を拒否することとした場合でも、緊急呼通信の通話の中断を防止することができる。
【００６２】
また、ＭＴＦ１２０が通信の制御を行うと共に通信要求の拒否を行うので、効率的に制御を行うことができる。
【図面の簡単な説明】
【００６３】
【図１】本実施形態に係る通信端末の機能ブロック図である。
【図２】本実施形態に係る通信端末の動作を示すシーケンス図である。
【図３】本実施形態に係る通信端末において、緊急呼通信中に通話の発信要求がなされた場合の動作を示すシーケンス図である。
【図４】本実施形態に係る通信端末において、緊急呼通信中に付加サービスの制御要求がなされた場合の動作を示すシーケンス図である。
【図５】本実施形態に係る通信端末において、緊急呼通信中にEメールの送信またはウェブページの閲覧要求がなされた場合の動作を示すシーケンス図である。
【図６】本実施形態に係る通信端末において、緊急呼通信中にショートメッセージの発信要求がなされた場合の動作を示すシーケンス図である。
【図７】本実施形態に係る通信端末において、緊急呼通信中に通話の着信要求がなされた場合の動作を示すシーケンス図である。
【図８】本実施形態に係る通信端末において、緊急呼通信中に文字情報の着信要求がなされた場合の動作を示すシーケンス図である。
【図９】本実施形態に係る通信端末において、緊急呼通信中にEメールの着信要求がなされた場合の動作を示すシーケンス図である。
【図１０】本実施形態に係る通信端末において、緊急呼通信中にショートメッセージの着信要求がなされた場合の動作を示すシーケンス図である。
【符号の説明】
【００６４】
ＭＳ１００…通信端末、ＮＷ…通信網、１１０…ＴＡＦ、１２０…ＭＴＦ、１２１…受付部、１２２…判断部、１２３…拒否部、１２４…通信制御部。
【図１】
2007189531.tif 000003
【図２】
2007189531.tif 000004
【図３】
2007189531.tif 000005
【図４】
2007189531.tif 000006
【図５】
2007189531.tif 000007
【図６】
2007189531.tif 000008
【図７】
2007189531.tif 000009
【図８】
2007189531.tif 000010
【図９】
2007189531.tif 000011
【図１０】
2007189531.tif 000012